(57)【要約】【課題】洗浄ノズルの全周に紫外線を照射できる衛生洗浄装置を提供することを目的とする。【解決手段】取付台と、前記取付台に対して進退自在に支持された洗浄ノズルと、前記洗浄ノズルにおける前記取付台と相対しない面に紫外線を照射する発光部と、前記発光部から発光された紫外線を反射し、前記洗浄ノズルにおける前記取付台と相対する面に前記紫外線を照射する反射体と、を備えたことを特徴とする衛生洗浄装置が提供される。【選択図】図２
2010084335.tif 000002
【特許請求の範囲】
【請求項１】
取付台と、
前記取付台に対して進退自在に支持された洗浄ノズルと、
前記洗浄ノズルにおける前記取付台と相対しない面に紫外線を照射する発光部と、
前記発光部から発光された紫外線を反射し、前記洗浄ノズルにおける前記取付台と相対する面に前記紫外線を照射する反射体と、
を備えたことを特徴とする衛生洗浄装置。
【請求項２】
前記反射体は、前記取付台に設けられたことを特徴とする請求項１記載の衛生洗浄装置。
【請求項３】
前記反射体の断面形状は、第１および第２の焦点を有する楕円の一部を形成し、
前記第１の焦点上に前記洗浄ノズルが配置され、前記第２の焦点上に前記発光部が配置されたことを特徴とする請求項１または２に記載の衛生洗浄装置。
【請求項４】
前記洗浄ノズルにおける前記発光部と相対する面とは反対側の表面が前記第１の焦点上に配置されたことを特徴とする請求項３記載の衛生洗浄装置。
【請求項５】
前記洗浄ノズルの表面に、光触媒を有する層が設けられたことを特徴とする請求項１〜４のいずれか１つに記載の衛生洗浄装置。
【発明の詳細な説明】
【技術分野】
【０００１】
本発明の態様は、一般的に、衛生洗浄装置に関し、具体的には洋式腰掛便座に腰掛けた使用者の「おしり」などを水で洗浄する衛生洗浄装置に関する。
【背景技術】
【０００２】
局部洗浄用の洗浄ノズルは、その洗浄ノズルや温水タンクなどの所定の機能部品を取り付けるケーシングから少なくとも一部を外部に露出（進出）した状態で局部に洗浄水を噴射する。そのため、洗浄ノズルには汚水や汚物が付着するおそれがある。そこで、洗浄ノズルに付着した汚水や汚物を除去するために、洗浄ノズルの表面に水を噴射するノズルクリーニング機能を備えた衛生洗浄装置がある。しかしながら、洗浄ノズルにはより一層の清潔感が求められている。
【０００３】
これに対して、洗浄ノズルを収納するノズル収納室に、紫外線を照射する紫外線照射手段を備え、洗浄ノズルや吐水口を紫外線で殺菌可能な衛生洗浄装置がある（特許文献１）。特許文献１に記載された衛生洗浄装置では、洗浄ノズルの表面に光触媒が設けられ、洗浄ノズルの防汚効果あるいは殺菌効果あるいは防臭効果を得ることもできる。また、洗浄ノズルの噴射孔や吐水部に紫外線を照射する殺菌灯を洗浄ノズルの近傍に設けた装置がある（特許文献２および３）。
【０００４】
しかしながら、洗浄ノズルの上から汚水や汚物が垂れて洗浄ノズルの上面に付着したり、その汚水や汚物が洗浄ノズルの下面に移動して付着するおそれがある。また、便器のボウルから跳ね返った水が洗浄ノズルの下面に直接付着して、その下面に汚れが付着するおそれがある。つまり、洗浄ノズルの全周に汚れが付着するおそれがある。
【０００５】
このような場合において、特許文献１〜３に記載された装置では、洗浄ノズルの全周に紫外線を照射することはできないという問題がある。例えば、洗浄ノズルの上方から紫外線を照射しても、洗浄ノズル自身によって影が生じるため、洗浄ノズルの下方には紫外線を照射することができない。そのため、洗浄ノズルの全周に亘って清潔性を確保することが困難であるという問題がある。
【特許文献１】特開２００６−２７４６４１号公報
【特許文献２】特開２００１−６５０３５号公報
【特許文献３】実開昭６３−７６０７８号公報
【発明の開示】
【発明が解決しようとする課題】
【０００６】
本発明は、かかる課題の認識に基づいてなされたものであり、洗浄ノズルの全周に紫外線を照射できる衛生洗浄装置を提供することを目的とする。
【課題を解決するための手段】
【０００７】
第１の発明は、取付台と、前記取付台に対して進退自在に支持された洗浄ノズルと、前記洗浄ノズルにおける前記取付台と相対しない面に紫外線を照射する発光部と、前記発光部から発光された紫外線を反射し、前記洗浄ノズルにおける前記取付台と相対する面に前記紫外線を照射する反射体と、を備えたことを特徴とする衛生洗浄装置である。  
この衛生洗浄装置によれば、発光部から発光された直接的な紫外線と、発光部から発光され反射体によって反射された間接的な紫外線と、により洗浄ノズルの全周に紫外線を照射することができる。
【０００８】
また、第２の発明は、第１の発明において、前記反射体は、前記取付台に設けられたことを特徴とする衛生洗浄装置である。  
この衛生洗浄装置によれば、反射体は取付台に固定され、洗浄ノズルも同様に取付台に支持されているため、洗浄ノズルと反射体との相対的位置をより精度良く決定することができる。また、取付台の近傍に存在するスペースを有効に利用することができる。
【０００９】
また、第３の発明は、第１または第２の発明において、前記反射体の断面形状は、第１および第２の焦点を有する楕円の一部を形成し、前記第１の焦点上に前記洗浄ノズルが配置され、前記第２の焦点上に前記発光部が配置されたことを特徴とする衛生洗浄装置である。  
この衛生洗浄装置によれば、発光部から発光された紫外線を反射体が反射することにより、発光部とは反対側の洗浄ノズルの表面に紫外線を照射することができる。
【００１０】
また、第４の発明は、第３の発明において、前記洗浄ノズルにおける前記発光部と相対する面とは反対側の表面が前記第１の焦点上に配置されたことを特徴とする衛生洗浄装置である。  
この衛生洗浄装置によれば、反射体によって反射された紫外線は、洗浄ノズルの全周に満遍なく略均一に照射される。そのため、発光部から発光された紫外線を無駄なく効率的に利用することができる。
【００１１】
また、第５の発明は、第１〜第４のいずれか１つの発明において、前記洗浄ノズルの表面には、光触媒を有する層が設けられたことを特徴とする衛生洗浄装置である。  
この衛生洗浄装置によれば、この衛生洗浄装置によれば、光触媒は、紫外線を照射されると、励起して酸化還元反応を生ずるため、紫外線の照射と、光触媒の分解作用および親水作用と、の相乗効果でより効果的に洗浄ノズルの殺菌や防汚や防臭を行うことができる。
【発明の効果】
【００１２】
本発明の態様によれば、洗浄ノズルの全周に紫外線を照射できる衛生洗浄装置が提供される。
【発明を実施するための最良の形態】
【００１３】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置の外観を表す斜視模式図である。  
本実施形態の衛生洗浄装置１００は、図１に表したように、洋式腰掛便器の上部に設けられる本体部４００と、この本体部４００に対して開閉自在にそれぞれ軸支された便座２００と便蓋３００と、を備える。なお、便蓋３００は、必ずしも設けなくてもよい。
【００１４】
本実施形態の本体部４００は、ケーシングとしてのケースプレート４０１とケースカバー４０３とを有している。ケースプレート４０１とケースカバー４０３との内部には、衛生洗浄機能を実現するための機能部品が設けられている。
【００１５】
衛生洗浄装置１００は、便座２００に座った使用者の「おしり」などに向けて水を噴出する洗浄ノズル４２５を有するノズルユニット４２０などを適宜備える。また、衛生洗浄装置１００は、洋式腰掛便器のボウル内の空気を吸い込み、フィルタや触媒などを介して臭気成分を低減させる脱臭機能部や、便座２００に座った使用者の「おしり」などに向けて温風を吹き付けて乾燥させる温風乾燥機能部や、トイレ室内に温風を吹き出してトイレ室を暖房する室内暖房機能部などを備える。なお、脱臭機能部や温風乾燥機能部や室内暖房機能部などは、必ずしも設けなくてもよい。
【００１６】
図２は、本実施形態にかかる衛生洗浄装置に設けられたノズルユニットを表す斜視模式図である。  
また、図３は、本実施形態の発光部から発光された紫外線の照射方向の一部を例示した斜視模式図である。
【００１７】
本実施形態のノズルユニット４２０は、基台としての取付台４２１と、取付台４２１に支持された洗浄ノズル４２５と、洗浄ノズル４２５を移動させる駆動部４２３と、を有している。洗浄ノズル４２５は、図２に表した矢印Ａのように、ベルトなどの伝動部材４２４を介して駆動部４２３から伝達される駆動力により、取付台４２１に対して摺動自在に設けられている。すなわち、洗浄ノズル４２５は、洗浄ノズル４２５の軸方向に直進移動することができる。そして、洗浄ノズル４２５は、本実施形態の衛生洗浄装置１００の本体部４００および取付台４２１から進退自在に移動できる。
【００１８】
洗浄ノズル４２５の先端部には、ひとつあるいは複数の吐水口４２７が設けられている。洗浄ノズル４２５は、便座２００に座った使用者の「おしり」などに向けて、適宜供給された水を吐水口４２７から噴射可能とされている。なお、本願明細書において「水」という場合には、冷水のみならず、加温されたお湯も含むものとする。
【００１９】
本実施形態のノズルユニット４２０には、ノズル洗浄室４２９が設けられている。ノズル洗浄室４２９は、取付台４２１に対して固定され、その内部に設けられた吐水口から水を噴射することにより、洗浄ノズル４２５の外周表面を洗浄することができる。洗浄ノズル４２５が収納された状態において、吐水口４２７の部分はノズル洗浄室４２９の中にほぼ収容されている。また、洗浄ノズル４２５は、ノズル洗浄室４２９を貫通して進出または後退する。
【００２０】
また、ケースカバー４０３には、紫外線を発光する発光部４３１が適宜設けられている。つまり、発光部４３１は収納状態における洗浄ノズル４２５の上側に設けられている。そして、発光部４３１は、洗浄ノズル４２５における取付台４２１と相対しない面に紫外線を直接的に照射できる。すなわち、発光部４３１から発光された紫外線４４１は、洗浄ノズル４２５の少なくとも上半面の一部に直接的に照射される。
【００２１】
なお、発光部４３１の設置形態は、これだけに限定されず、例えばノズルユニット４２０に発光部４３１を固定するための部材が設けられ、発光部４３１はその部材に取り付けられていてもよい。すなわち、本実施形態にかかる衛生洗浄装置１００においては、発光部４３１は収納状態における洗浄ノズル４２５の上側に設けられ、洗浄ノズル４２５における取付台４２１と相対しない面に紫外線を照射できればよい。また、本実施形態にかかる衛生洗浄装置１００では、３個の発光部４３１が設けられているが、発光部４３１の設置数はこれだけに限定されるわけではない。さらに、発光部４３１は、後に詳述するように、洗浄ノズル４２５の軸方向に略並行して２列あるいはそれ以上の複数列で配列されていてもよい。
【００２２】
発光部４３１としては、例えば、発光ダイオード（ＬＥＤ：Light Emitting Diode）、ブラックライト、ケミカルライト、水銀ランプ、あるいはキセノンランプなどが挙げられる。これらの中で、発光ダイオードはより長寿命であり、交換頻度を抑えることができるため、有用な発光源（発光部）の１つである。また、発光ダイオードは、電気から光への変換効率がより高く、消費電力を抑えることができるため、省エネルギーで有用な発光源（発光部）の１つである。
【００２３】
一方、取付台４２１には、発光部４３１から発光された紫外線を反射する反射体４６１が設けられている。反射体４６１は、例えばリフレクタ（反射鏡）などと呼ばれ、アルミニウムをコーティングした樹脂や略板状のアルミニウムなどから形成されている。反射体４６１は、図３に表したように、発光部４３１から発光された紫外線４４１を反射し、洗浄ノズル４２５における取付台４２１と相対する面に紫外線を照射できる。すなわち、発光部４３１から発光された紫外線４４１は、反射体４６１によって反射され、洗浄ノズル４２５の少なくとも下半面の一部に間接的に照射される。
【００２４】
さらに、発光部４３１から発光され反射体４６１によって反射された紫外線４４１の一部は、洗浄ノズル４２５における取付台４２１と相対しない面にも間接的に照射される。すなわち、第１の発光部４３１から発光され反射体４６１によって反射された紫外線４４１の一部は、洗浄ノズル４２５の上半面の少なくとも一部にも間接的に照射される。
【００２５】
そのため、本実施形態にかかる衛生洗浄装置１００は、発光部４３１から発光された直接的な紫外線４４１と、発光部４３１から発光され反射体４６１によって反射された間接的な紫外線４４１と、により洗浄ノズル４２５の全周に紫外線を照射できる。これについては、後に詳述する。これによれば、本実施形態にかかる衛生洗浄装置１００は、洗浄ノズル４２５の表面を全周に亘って殺菌することができる。
【００２６】
なお、前述したように、洗浄ノズル４２５が収納された状態において、吐水口４２７の部分はノズル洗浄室４２９の中にほぼ収容されているため、洗浄ノズル４２５の収納状態であっても吐水口４２７近傍に紫外線４４１を照射することはできない。そのため、洗浄ノズル４２５に紫外線を照射するときには、通常の収納位置よりもさらに後退した位置に洗浄ノズル４２５を移動させてもよい。これによれば、洗浄ノズル４２５の略全長に亘って紫外線４４１を照射することができる。
【００２７】
また、洗浄ノズル４２５の表面には、光触媒を有する層が設けられている。光触媒は、紫外線を照射されると、励起して酸化還元反応を生ずる。その結果、雑菌や細菌や臭気物質などの有機物を分解する分解作用と、表面が水に濡れやすい親水作用と、を得ることができる。
【００２８】
より具体的には、光触媒を有する層が設けられた洗浄ノズル４２５の表面に紫外線４４１を照射すると、その紫外線４４１および空気中の水や酸素などにより、洗浄ノズル４２５の表面に活性酸素が発生する。その活性酸素は、洗浄ノズル４２５の表面に付着した汚れや雑菌や細菌や臭気物質などを分解する。また、その活性酸素は、揮発性有機化合物（ＶＯＣ：Volatile Organic Compounds）なども分解する。そのため、光触媒の分解作用により、洗浄ノズル４２５の表面の殺菌や防汚や防臭を行うことができる。
【００２９】
また、光触媒を有する層が設けられた洗浄ノズル４２５の表面に紫外線４４１を照射すると、その表面には周囲の水分との結合による親水基（−ＯＨ）が表出することによりその表面は水になじむようになり、濡れやすくなる（親水作用）。すなわち、洗浄ノズル４２５の表面には水滴ができず、水が表面に濡れ広がるようになる。そして、予め洗浄ノズル４２５の表面を親水化することにより、汚れは洗浄ノズル４２５の表面に濡れ広がった水の表面に付着することになる。さらに洗浄ノズル４２５の洗浄に用いるノズル洗浄水が洗浄ノズル４２５の表面とその表面に付着した汚れとの間に入り込み、汚れを浮かして流す。そのため、光触媒の親水作用により、洗浄ノズル４２５の表面の防汚や防曇を行うことができる。
【００３０】
これらによれば、紫外線４４１の照射と、光触媒の分解作用および親水作用と、の相乗効果でより効果的に洗浄ノズル４２５の殺菌や防汚や防臭を行うことができる。このような光触媒としては、例えば酸化チタンや酸化亜鉛、酸化スズなどの金属酸化物や、硫化亜鉛、硫化カドミウムなどの金属硫化物などを挙げることができる。これらのうちで、酸化チタンは、特に顕著な分解作用と親水作用とを示す。
【００３１】
なお、図２および図３に表したノズルユニット４２０では、発光部４３１が洗浄ノズル４２５の上側に設けられ、反射体４６１が洗浄ノズル４２５の下側に設けられているが、発光部４３１および反射体４６１の設置形態はこれだけに限定されるわけではない。
【００３２】
つまり、発光部４３１は洗浄ノズル４２５の下側に設けられ、取付台４２１あるいはケースプレート４０１などに取り付けられていてもよい。このとき、反射体４６１は洗浄ノズル４２５の上側に設けられ、取付台４２１あるいはケースカバー４０３などに取り付けられる。そしてこの場合には、発光部４３１から発光された紫外線４４１は、洗浄ノズル４２５における取付台４２１と相対する面に直接的に照射される。一方、発光部４３１から発光され反射体４６１によって反射された紫外線４４１は、洗浄ノズル４２５における取付台４２１と相対しない面に間接的に照射される。
【００３３】
また、発光部４３１は洗浄ノズル４２５の左右側方のいずれかに設けられ、反射体４６１は発光部４３１が設けられていない他の左右側方のいずれかに設けられていてもよい。さらに、反射体４６１は、後に詳述するように、洗浄ノズル４２５の中心軸に対して左右非対称に設けられていてもよい。すなわち、発光部４３１および反射体４６１は、洗浄ノズル４２５の全周に紫外線を照射できるように設置されている限り、本発明の範囲に包含される。これらによれば、洗浄ノズル４２５の表面を全周に亘って殺菌することができる。以下の説明においては、反射体４６１は発光部４３１から発光された紫外線４４１を反射し、洗浄ノズル４２５における取付台４２１と相対する面に紫外線４４１を照射する場合を例に挙げて説明する。
【００３４】
図４は、本実施形態の反射体の変形例を例示する斜視模式図である。  
本変形例の反射体４６２は、図３に表した反射体４６１のようには、下端部において分割されていない。すなわち、本変形例の反射体４６２は、下端部において連結され一体的に形成されている。その他の構造については、図３に表した反射体４６１と同様である。
【００３５】
これによれば、反射体４６２の組立作業を簡略化することができる。すなわち、反射体４６２は一体的に形成されているため、複数の部品を取り付ける必要はない。そのため、組立工程を簡略化し、組立時間の短縮化を図ることができる。
【００３６】
ここで、本実施形態のノズルユニット４２０では、ノズル洗浄室４２９において洗浄ノズル４２５の表面に噴射する水が飛散したり、あるいは衛生洗浄装置１００の本体部４００内に結露が生じたりして、洗浄ノズル４２５の下側に水が落ちる場合がある。また、局部洗浄を行った洗浄ノズル４２５の表面に洗浄水が飛散して付着し、洗浄ノズル４２５を収納した際に、その付着した洗浄水が洗浄ノズル４２５の下側に水が落ちる場合がある。
【００３７】
そのため、洗浄ノズル４２５の下側に落ちた水を便器のボウル内などに適宜排出することができるように、ノズルユニット４２０に設けられる反射体は下端部において分割されていることがより好ましい。つまり、ノズルユニット４２０に設けられる反射体は、図３に表した反射体４６１のように、下端部において分割されていることがより好ましい。但し、図４に表したように、下端部において連結され一体的に形成された反射体４６２が設けられた場合であっても、洗浄ノズル４２５の下側に落ちた水を便器のボウル内などに適宜排出できる機構があればよい。
【００３８】
次に、反射体の形状と、洗浄ノズルおよび発光部の設置形態と、の具体例について、図面を参照しつつ説明する。  
図５は、本実施形態の具体例にかかるノズルユニットを例示する断面模式図である。  
なお、図５は、洗浄ノズルの軸方向から眺めた断面模式図である。また、取付台４２１や駆動部４２３については、適宜省略する。
【００３９】
本具体例の反射体４７１は、楕円放物面を有している。すなわち、反射体４７１の断面形状は、図５に表したように、楕円形を有している。楕円は、一般的に、２つの焦点を有する。そこで、反射体４７１の断面形状から形成される楕円は、第１の焦点４７１ａと第２の焦点４７１ｂとを有する。そして、第１の焦点４７１ａ上には洗浄ノズル４２５が配設され、第２の焦点４７１ｂ上には発光部４３１が配設されている。また、洗浄ノズル４２５の断面形状の中心４２５ａは、反射体４７１の断面形状から形成される楕円の長軸４７１ｃ上に配設されている。
【００４０】
さらに、発光部４３１から洗浄ノズル４２５を長軸４７１ｃに略沿うように見た場合に、洗浄ノズル４２５における発光部４３１とは反対側の表面が、第１の焦点４７１ａと接するように、洗浄ノズル４２５は配設されている（図５参照）。これによれば、第２の焦点４７１ｂから洗浄ノズル４２５の表面に接線を引いたときの接点４２５ｂ、４２５ｃ同士の間であって、発光部４３１と同じ側の洗浄ノズル４２５の表面は、発光部４３１から発光された紫外線４４１によって直接的に照射される。一方、接点４２５ｂと接点４２５ｃとの間であって、発光部４３１とは反対側の洗浄ノズル４２５の表面は、発光部４３１から発光され反射体４７１によって反射された略全ての紫外線４４１によって照射される。
【００４１】
これは、楕円の一方の焦点を通過した光線は、楕円上のいずれかの点において反射された後に、他方の焦点を通過するためである。すなわち、第２の焦点４７１ｂから発光された紫外線４４１は、反射体４７１の断面形状から形成された楕円上のいずれかの点において反射された後に、第１の焦点４７１ａを通過するためである。そのため、本具体例のノズルユニットを備える衛生洗浄装置は、発光部４３１から発光された直接的な紫外線４４１と、発光部４３１から発光され反射体４７１によって反射された間接的な紫外線４４１と、により洗浄ノズル４２５の全周に効率よく紫外線４４１を照射できる。また、本具体例のノズルユニットを備える衛生洗浄装置は、洗浄ノズル４２５の全周に無駄なく略均一に紫外線４４１を照射できる。その結果、本具体例のノズルユニットを備える衛生洗浄装置は、洗浄ノズル４２５の表面を全周に亘って略均一に殺菌できる。
【００４２】
さらに、反射体４７１は取付台４２１に固定され、洗浄ノズル４２５も同様に取付台４２１に支持されているため、洗浄ノズル４２５と反射体４７１との相対的位置はより精度良く決定される。そのため、本具体例のノズルユニットを備える衛生洗浄装置では、発光部４３１から洗浄ノズル４２５を長軸４７１ｃに略沿うように見た場合に、洗浄ノズル４２５における発光部４３１とは反対側の表面が第１の焦点４７１ａと接するように、洗浄ノズル４２５をより精度良く配設することができる。
【００４３】
なお、反射体４７１の断面形状から形成される楕円は、接点４２５ｂを通過する紫外線４４１の楕円上の反射点４７１ｄと、反射後に接点４２５ｂに到達する紫外線４４１の楕円上の反射点４７１ｅと、の間に形成されていればよい。これは、接点４２５ｃ側についても同様である。これによれば、反射体４７１を小型化することができ、且つ発光部４３１から発光され反射体４７１によって反射された略全ての紫外線４４１は、接点４２５ｂと接点４２５ｃとの間であって、発光部４３１とは反対側の洗浄ノズル４２５の表面に照射される。
【００４４】
また、図２および図３に関して前述したように、発光部４３１は洗浄ノズル４２５の下側に設けられ、反射体４７１は洗浄ノズル４２５の上側にも設けられていてもよい。あるいは、発光部４３１は洗浄ノズル４２５の左右側方のいずれかに設けられ、反射体４７１は発光部４３１が設けられていない他の左右側方のいずれかに設けられていてもよい。この場合であっても、図５に表したように、反射体４７１の断面形状が楕円を有し、発光部４３１から洗浄ノズル４２５を長軸４７１ｃに略沿うように見た場合に、洗浄ノズル４２５における発光部４３１とは反対側の表面が第１の焦点４７１ａと接するように洗浄ノズル４２５が配設され、第２の焦点４７１ｂ上に発光部４３１が配設されていれば、洗浄ノズル４２５の全周に紫外線４４１を照射できる。
【００４５】
図６は、本実施形態の他の具体例にかかるノズルユニットを例示する断面模式図である。  
なお、図６は、洗浄ノズルの軸方向から眺めた断面模式図である。また、取付台４２１や駆動部４２３については、適宜省略する。
【００４６】
本具体例の反射体４７２は、放物面を有している。すなわち、反射体４７２の断面形状は、図６に表したように、放物線を有している。放物線は、一般的に、焦点を有する。そこで、反射体４７２の断面形状から形成される放物線は、焦点４７２ａを有する。そして、焦点４７２ａ上に洗浄ノズル４２５が配設されている。また、洗浄ノズル４２５の断面形状の中心４２５ａは、反射体４７２の断面形状から形成される放物線の中心軸４７２ｃ上に配設されている。さらに、発光部４３１から洗浄ノズル４２５を中心軸４７２ｃに略沿うように見た場合に、洗浄ノズル４２５における発光部４３１とは反対側の表面が、焦点４７２ａと接するように、洗浄ノズル４２５は配設されている（図６参照）。
【００４７】
一方、発光部４３１の近傍には、レンズ４３３が設けられている。このレンズ４３３は、レンズ４３３自身の光軸４３３ａに略並行するように発光部４３１から発光された紫外線４４１を出射できる。本具体例のノズルユニットでは、レンズ４３３の光軸４３３ａと、反射体４７２の断面形状から形成される放物線の中心軸４７２ｃと、が略並行するようにレンズ４３３と反射体４７２とは配設されている。
【００４８】
これによれば、洗浄ノズル４２５の表面に光軸４３３ａと並行する接線を引いたときの接点４２５ｂ、４２５ｃ同士の間であって、発光部４３１と同じ側の洗浄ノズル４２５の表面は、レンズ４３３を通過した紫外線４４１によって直接的に照射される。一方、接点４２５ｂと接点４２５ｃとの間であって、発光部４３１とは反対側の洗浄ノズル４２５の表面は、レンズ４３３を通過し反射体４７２によって反射された略全ての紫外線４４１によって照射される。
【００４９】
これは、放物線の中心軸と並行する光線は、放物線上のいずれかの点において反射された後に、焦点を通過するためである。すなわち、発光部４３１から発光されレンズ４３３を通過した紫外線４４１は、反射体４７２の断面形状から形成された放物線上のいずれかの点において反射された後に、焦点４７２ａを通過するためである。そのため、本具体例のノズルユニットを備える衛生洗浄装置は、発光部４３１からレンズ４３３を介して発光された直接的な紫外線４４１と、発光部４３１からレンズ４３３を介して発光され反射体４７１によって反射された間接的な紫外線４４１と、により洗浄ノズル４２５の全周に効率よく紫外線４４１を照射できる。また、本具体例のノズルユニットを備える衛生洗浄装置は、洗浄ノズル４２５の全周に無駄なく略均一に紫外線４４１を照射できる。その結果、本具体例のノズルユニットを備える衛生洗浄装置は、図５に関して前述した具体例と同様に、洗浄ノズル４２５の表面を全周に亘って略均一に殺菌できる。
【００５０】
さらに、本具体例の反射体４７２の断面形状は放物線を有するため、図５に表した反射体４７１よりも上下方向の高さを低く設定することができる。そのため、ノズルユニットの上下方向の高さを小さく設定することで、ノズルユニット全体および衛生洗浄装置を小型化することができる。なお、本具体例においても、反射体４７２は取付台４２１に固定され、洗浄ノズル４２５も同様に取付台４２１に支持されているため、図５に関して前述した効果と同様の効果を得ることができる。
【００５１】
また、発光部４３１は洗浄ノズル４２５の下側に設けられ、反射体４７２は洗浄ノズル４２５の上側に設けられていてもよい。この場合であっても、図６に表したように、反射体４７２の断面形状が放物線を有し、発光部４３１から洗浄ノズル４２５を中心軸４７２ｃに略沿うように見た場合に、洗浄ノズル４２５における発光部４３１とは反対側の表面が焦点４７２ａと接するように洗浄ノズル４２５が配設され、レンズ４３３の光軸４３３ａと、反射体４７２の断面形状から形成される放物線の中心軸４７２ｃと、が略並行するようにレンズ４３３と反射体４７２とが配設されていれば、洗浄ノズル４２５の全周に紫外線４４１を照射できる。
【００５２】
図７は、本実施形態のさらに他の具体例にかかるノズルユニットを例示する断面模式図である。  
なお、図７は、洗浄ノズルの軸方向から眺めた断面模式図である。また、取付台４２１や駆動部４２３については、適宜省略する。
【００５３】
本具体例の反射体４７３の断面形状は、円形を有している。洗浄ノズル４２５は、その中心４２５ａが反射体４７３の断面形状から形成される円の中心軸４７３ｃ上に一致するように配設されている。また、発光部４３１は、洗浄ノズル４２５と同様に、反射体４７３の断面形状から形成される円の中心軸４７３ｃ上に配設されている。
【００５４】
これによれば、発光部４３１から洗浄ノズル４２５の表面に接線を引いたときの接点４２５ｂ、４２５ｃ同士の間であって、発光部４３１と同じ側の洗浄ノズル４２５の表面は、発光部４３１から発光された紫外線４４１によって直接的に照射される。一方、接点４２５ｂと接点４２５ｃとの間であって、発光部４３１とは反対側の洗浄ノズル４２５の表面は、発光部４３１から発光され反射体４７３によって反射された紫外線４４１によって照射される。
【００５５】
そのため、本具体例のノズルユニットを備える衛生洗浄装置は、発光部４３１から発光された直接的な紫外線４４１と、発光部４３１から発光され反射体４７３によって反射された間接的な紫外線４４１と、により洗浄ノズル４２５の全周に紫外線を照射できる。その結果、本具体例のノズルユニットを備える衛生洗浄装置は、洗浄ノズル４２５の表面を全周に亘って殺菌できる。なお、反射体４７３によって反射された紫外線４４１の略全てが洗浄ノズル４２５に照射されるわけではなく、洗浄ノズル４２５の近傍を通過しそのまま系外へと漏れ出る紫外線が存在するため、紫外線４４１の利用効率を考慮すると、図５および図６に表した具体例の方がより好ましい。
【００５６】
図８は、本実施形態のさらに他の具体例にかかるノズルユニットを例示する断面模式図である。  
なお、図８は、洗浄ノズルの軸方向から眺めた断面模式図である。また、取付台４２１や駆動部４２３については、適宜省略する。
【００５７】
本具体例の反射体４７４の断面形状は、複数の直線が連結した形状を有する。そして、複数の直線が連結した形状は、近似的な楕円を有している。すなわち、本具体例の反射体４７４の断面形状は、複数の直線によって形成された近似楕円を有している。反射体４７４の断面形状から形成される近似楕円は、第１の近似焦点４７４ａと第２の近似焦点４７４ｂとを有する。そして、第１の近似焦点４７４ａ上には洗浄ノズル４２５が配設され、第２の近似焦点４７４ｂ上には発光部４３１が配設されている。また、洗浄ノズル４２５の断面形状の中心４２５ａは、反射体４７４の断面形状から形成される近似楕円の長軸４７４ｃ上に配設されている。
【００５８】
さらに、発光部４３１から洗浄ノズル４２５を長軸４７４ｃに略沿うように見た場合に、洗浄ノズル４２５における発光部４３１とは反対側の表面が、第１の近似焦点４７４ａと接するように、洗浄ノズル４２５は配設されている（図８参照）。これによれば、第２の近似焦点４７４ｂから洗浄ノズル４２５の表面に接線を引いたときの接点４２５ｂ、４２５ｃ同士の間であって、発光部４３１と同じ側の洗浄ノズル４２５の表面は、発光部４３１から発光された紫外線４４１によって直接的に照射される。一方、接点４２５ｂと接点４２５ｃとの間であって、発光部４３１とは反対側の洗浄ノズル４２５の表面は、発光部４３１から発光され反射体４７４によって反射された略全ての紫外線４４１によって照射される。
【００５９】
これは、図５に関して前述したように、楕円の一方の焦点を通過した光線は、楕円上のいずれかの点において反射された後に、他方の焦点を通過するためである。そのため、本具体例のノズルユニットを備える衛生洗浄装置は、図５に表した具体例と同様に、発光部４３１から発光された直接的な紫外線４４１と、発光部４３１から発光され反射体４７４によって反射された間接的な紫外線４４１と、により洗浄ノズル４２５の全周に効率よく紫外線４４１を照射できる。また、本具体例のノズルユニットを備える衛生洗浄装置は、図５に表した具体例と同様に、洗浄ノズル４２５の全周に無駄なく略均一に紫外線４４１を照射できる。その結果、本具体例のノズルユニットを備える衛生洗浄装置は、洗浄ノズル４２５の表面を全周に亘って略均一に殺菌できる。
【００６０】
さらに、本具体例の反射体４７４の断面形状は複数の直線が連結した形状を有するため、反射体４７４を加工することはより容易である。つまり、本具体例の反射体４７４の断面形状は、図５〜図７に表したようには曲線を有していないため、より単純な曲げ加工を繰り返すことで反射体４７４を製造することができる。これによれば、ノズルユニットおよび衛生洗浄装置の製造コストを抑えることができる。
【００６１】
図９は、本実施形態のさらに他の具体例にかかるノズルユニットを例示する断面模式図である。  
なお、図９は、洗浄ノズルの軸方向から眺めた断面模式図である。また、取付台４２１や駆動部４２３については、適宜省略する。
【００６２】
本具体例の反射体４７５は、非球面を有する。つまり、反射体４７５は少なくとも球面ではない曲面を有している。そのため、反射体４７５の断面形状は、少なくとも円形でない、例えば複数の円形曲線を滑らかに接続させた曲線や高次曲線を有する。そして、発光部４３１から発光され反射体４７５によって反射された略全ての紫外線４４１が洗浄ノズル４２５の表面に到達するように、反射体４７５の非球面は適宜形成されている。洗浄ノズル４２５は、その中心４２５ａが反射体４７５の断面形状から形成される少なくとも円形でない曲線の中心軸４７５ｃ上に一致するように配設されている。また、発光部４３１は、洗浄ノズル４２５と同様に、反射体４７５の断面形状から形成される少なくとも円形でない曲線の中心軸４７５ｃ上に配設されている。
【００６３】
これによれば、発光部４３１から洗浄ノズル４２５の表面に接線を引いたときの接点４２５ｂ、４２５ｃ同士の間であって、発光部４３１と同じ側の洗浄ノズル４２５の表面は、発光部４３１から発光された紫外線４４１によって直接的に照射される。一方、接点４２５ｂと接点４２５ｃとの間であって、発光部４３１とは反対側の洗浄ノズル４２５の表面は、発光部４３１から発光され反射体４７３によって反射された略全ての紫外線４４１によって照射される。これは、前述したように、反射体４７５の非球面は、発光部４３１から発光され反射体４７５によって反射された略全ての紫外線４４１が洗浄ノズル４２５の表面に到達するように適宜形成されているためである。
【００６４】
そのため、本具体例のノズルユニットを備える衛生洗浄装置は、発光部４３１から発光された直接的な紫外線４４１と、発光部４３１から発光され反射体４７５によって反射された間接的な紫外線４４１と、により洗浄ノズル４２５の全周に効率よく紫外線４４１を照射できる。また、本具体例のノズルユニットを備える衛生洗浄装置は、洗浄ノズル４２５の全周に無駄なく略均一に紫外線４４１を照射できる。その結果、本具体例のノズルユニットを備える衛生洗浄装置は、洗浄ノズル４２５の表面を全周に亘って略均一に殺菌できる。
【００６５】
さらに、反射体４７５は非球面を有するため、紫外線４４１の光束をより自由に制御することが可能であり、図５〜図８に表した具体例の反射体よりも上下方向の高さを低く形成されつつ、発光部４３１から発光された紫外線４４１を洗浄ノズル４２５により均一に略全て照射するように反射できる。そのため、ノズルユニットの上下方向の高さを小さく設定することで、ノズルユニット全体および衛生洗浄装置を小型化することができる。
【００６６】
図１０は、本実施形態のさらに他の具体例にかかるノズルユニットを例示する断面模式図である。  
なお、図１０は、洗浄ノズルの軸方向から眺めた断面模式図である。また、取付台４２１や駆動部４２３については、適宜省略する。
【００６７】
本具体例の反射体４７６の断面形状は、半径が異なる３つの円形４７６Ａ、４７６Ｂ、４７６Ｃを有している。そして、反射体４７６は、洗浄ノズル４２５の上下方向の中心軸４２５ｅに対して左右対称ではなく左右非対称に配設されている。なお、図１０に表した反射体４７６は、半径が異なる３つの円形４７６Ａ、４７６Ｂ、４７６Ｃを有しているが、これだけに限定されず、例えば半径が異なる４つ以上の円形を有していてもよい。一方、発光部４３１は、洗浄ノズル４２５の真上ではなく、斜め上方に配設されている。また、発光部４３１の光軸は、洗浄ノズル４２５の中心軸上を通らない。
【００６８】
これによれば、発光部４３１の設置位置を図５〜図９に表した具体例よりも低くしつつ、前述した具体例と同様に、洗浄ノズル４２５の全周に紫外線４４１を照射することができる。さらに、反射体４７４の上下方向や左右方向の大きさを図５〜図９に表した反射体よりも小さく設定しつつ、前述した具体例と同様に、洗浄ノズル４２５の全周に紫外線４４１を照射することができる。そのため、本具体例のノズルユニットを備える衛生洗浄装置は、ノズルユニットおよび衛生洗浄装置の小型化を図りつつ、洗浄ノズル４２５の表面を全周に亘って殺菌できる。
【００６９】
図１１は、本実施形態のさらに他の具体例にかかるノズルユニットを例示する断面模式図である。  
なお、図１１は、洗浄ノズルの軸方向から眺めた断面模式図である。また、取付台４２１や駆動部４２３については、適宜省略する。
【００７０】
本具体例の反射体４７７の断面形状は、傾きが異なる２つの直線４７７Ａ、４７７Ｂと、半径が異なる２つの円形４７７Ｃ、４７７Ｄと、を有している。そして、反射体４７７は、洗浄ノズル４２５の中心軸４２５ｅに対して左右対称ではなく左右非対称に配設されている。なお、図１１に表した反射体４７７は、傾きが異なる２つの直線４７７Ａ、４７７Ｂと、半径が異なる２つの円形４７７Ｃ、４７７Ｄと、を有しているが、これだけに限定されず、例えば傾きが異なる３つの直線と、半径が異なる３つの円形と、を有していてもよい。すなわち、本具体例の反射体の断面形状は、直線と円形とが連結した形状を有していればよい。一方、発光部４３１は、洗浄ノズル４２５の略真上ではなく、斜め上方に配設されている。また、発光部４３１の光軸は、洗浄ノズル４２５の中心軸上を通らない。
【００７１】
これによれば、反射体４７７の断面形状の全てが曲線（円形）を有しているわけではないため、より単純な曲げ加工を加工工程の一部に導入することで反射体４７４をより簡易的に製造することができる。また、図１０に表した具体例と同様に、発光部４３１の設置位置を図５〜図９に表した具体例よりも低く抑えつつ、洗浄ノズル４２５の全周に紫外線４４１を照射することができる。さらに、反射体４７４の上下方向や左右方向の大きさを図５〜図９に表した反射体よりも小さく設定しつつ、洗浄ノズル４２５の全周に紫外線４４１を照射することができる。また、その他の効果についても、図１０に関して前述した効果と同様の効果を得ることができる。
【００７２】
次に、発光部が洗浄ノズルの軸方向に略並行して２列で配列された具体例について、図面を参照しつつ説明する。  
図１２は、本実施形態のさらに他の具体例にかかるノズルユニットを例示する断面模式図である。  
なお、図１２は、洗浄ノズルの軸方向から眺めた断面模式図である。また、取付台４２１や駆動部４２３については、適宜省略する。
【００７３】
本具体例のノズルユニットでは、洗浄ノズル４２５の上側に、発光部４３１ａ、４３１ｂが洗浄ノズル４２５の軸方向に略並行して２列で配列されている。この発光部４３１ａ、４３１ｂは、例えばケースカバー４０３などに適宜設けられている。一方、洗浄ノズル４２５の左右側方には、下端部において分割された反射体４７８が設けられている。反射体４７８の断面形状は、例えば図５に表した楕円や図６に表した放物線などである。そして、反射体４７８の中心軸４７８ｃ上には、洗浄ノズル４２５の断面形状の中心４２５ａが配設されている。
【００７４】
これによれば、発光部４３１ａ、４３１ｂが洗浄ノズル４２５の軸方向に略並行して２列で配列されているため、洗浄ノズル４２５の表面により大きな強度の紫外線を照射することができる。また、発光部４３１ａ、４３１ｂは洗浄ノズル４２５の真上に設けられているわけではないため、洗浄ノズル４２５の表面に付着した水などもかかり難い。さらに、反射体４７８は下端部において分割されているため、図４に関して前述したように、例えば洗浄ノズル４２５の下側に落ちた水を便器のボウル内などに適宜排出することができる。
【００７５】
発光部４３１ａ、４３１ｂから洗浄ノズル４２５の表面に接線を引いたときのそれぞれ接点４２５ｂ、４２５ｃ同士の間であって、発光部４３１ａ、４３１ｂと同じ側（上側）の洗浄ノズル４２５の表面は、発光部４３１ａ、４３１ｂからそれぞれ発光された紫外線４４１ａ、４４１ｂによって直接的に照射される。一方、接点４２５ｂと接点４２５ｃとの間であって、発光部４３１ａ、４３１ｂとは反対側（下側）の洗浄ノズル４２５の表面は、発光部４３１ａ、４３１ｂからそれぞれ発光され反射体４７８によって反射された紫外線４４１ａ、４４１ｂによって照射される。
【００７６】
このとき、洗浄ノズル４２５の下端部４２５ｄは、反射体４７８によって略水平に反射された紫外線４４１ａ、４４１ｂによって照射される。これによれば、反射体４７８によって反射された紫外線４４１ａ、４４１ｂは、洗浄ノズル４２５の下側に設けられた取付台４２１に干渉されずに洗浄ノズル４２５の表面に照射される。そのため、本具体例のノズルユニットを備える衛生洗浄装置は、発光部４３１ａ、４３１ｂからそれぞれ発光された直接的な紫外線４４１ａ、４４１ｂと、発光部４３１ａ、４３１ｂからそれぞれ発光され反射体４７８によって反射された間接的な紫外線４４１ａ、４４１ｂと、により洗浄ノズル４２５の全周に効率よく紫外線を照射できる。その結果、本具体例のノズルユニットを備える衛生洗浄装置は、洗浄ノズル４２５の表面を全周に亘って殺菌できる。
【００７７】
図１３は、本実施形態のさらに他の具体例にかかるノズルユニットを例示する断面模式図である。  
なお、図１３は、洗浄ノズルの軸方向から眺めた断面模式図である。また、取付台４２１や駆動部４２３については、適宜省略する。
【００７８】
本具体例のノズルユニットでは、図１２に表した具体例と同様に、洗浄ノズル４２５の上側に、発光部４３１ａ、４３１ｂが洗浄ノズル４２５の軸方向に略並行して２列で配列され、例えばケースカバー４０３などに適宜設けられている。一方、洗浄ノズル４２５の左右側方には、反射体４８１、４９１が設けられている。反射体４８１、４９１の断面形状は、楕円を有している。そして、反射体４８１、４９１は、図１３に表したように、それぞれの第２の焦点４８１ｂ、４９１ｂが互いに左右側方に広がる方向にそれぞれ傾斜している。
【００７９】
反射体４８１の第１の焦点４８１ａ上には洗浄ノズル４２５が配設され、反射体４８１の第２の焦点４８１ｂ上には発光部４３１ａが配設されている。これと同様に、反射体４９１の第１の焦点４９１ａ上には洗浄ノズル４２５が配設され、反射体４９１の第２の焦点４９１ｂ上には発光部４３１ｂが配設されている。また、洗浄ノズル４２５の断面形状の中心４２５ａは、反射体４８１の断面形状から形成される楕円の長軸４８１ｃ上、かつ反射体４９１の断面形状から形成される楕円の長軸４９１ｃ上に配設されている。
【００８０】
さらに、発光部４３１ａから洗浄ノズル４２５を長軸４８１ｃに略沿うように見た場合に、洗浄ノズル４２５における発光部４３１ａとは反対側の表面が、第１の焦点４８１ａと接するように、洗浄ノズル４２５は配設されている（図１３参照）。これと同様に、発光部４３１ｂから洗浄ノズル４２５を長軸４９１ｃに略沿うように見た場合に、洗浄ノズル４２５における発光部４３１ｂとは反対側の表面が、第１の焦点４９１ａと接するように、洗浄ノズル４２５は配設されている（図１３参照）。
【００８１】
そして、反射体４８１によって反射され第１の焦点４８１ａに向かって進行する紫外線４４１ａが、洗浄ノズル４２５の少なくとも下端部４２５ｄを通過するように、反射体４８１の大きさは設定されている。これと同様に、反射体４９１によって反射され第１の焦点４９１ａに向かって進行する紫外線４４１ｂが、洗浄ノズル４２５の少なくとも下端部４２５ｄを通過するように、反射体４９１の大きさは設定されている。
【００８２】
そのため、第２の焦点４８１ｂから洗浄ノズル４２５の表面に接線を引いたときの１つの接点４２５ｂと、第２の焦点４９１ｂから洗浄ノズル４２５の表面に接線を引いたときの１つの接点４２５ｃと、の間であって、発光部４３１ａ、４３１ｂとは反対側（下側）の洗浄ノズル４２５の表面は、発光部４３１ａ、４３１ｂから発光され反射体４８１、４９１によってそれぞれ反射された略全ての紫外線４４１ａ、４４１ｂによって照射される。
【００８３】
これによれば、本具体例のノズルユニットを備える衛生洗浄装置は、発光部４３１ａ、４３１ｂからそれぞれ発光された直接的な紫外線４４１ａ、４４１ｂと、発光部４３１ａ、４３１ｂからそれぞれ発光され反射体４８１、４９１によってそれぞれ反射された間接的な紫外線４４１ａ、４４１ｂと、により洗浄ノズル４２５の全周に効率よく紫外線を照射できる。また、本具体例のノズルユニットを備える衛生洗浄装置は、洗浄ノズル４２５の全周に無駄なく略均一に紫外線４４１ａ、４４１ｂを照射できる。その結果、本具体例のノズルユニットを備える衛生洗浄装置は、洗浄ノズル４２５の表面を全周に亘って略均一に殺菌できる。
【００８４】
さらに、反射体４８１、４９１は、図１３に表したように、それぞれ傾斜して設けられているため、反射体４８１、４９１の上下方向の高さを低く設定することができる。これに伴い、第２の焦点４８１ｂ、４９１ｂの位置は下側に移動するため、発光部４３１ａ、４３１ｂの設置位置をより低くすることができる。したがって、ノズルユニット全体および衛生洗浄装置を小型化することができる。
【００８５】
以上説明したように、本実施形態によれば、発光部４３１は洗浄ノズル４２５の上側に設けられ、洗浄ノズル４２５における取付台４２１と相対しない面に紫外線を直接的に照射できる。一方、反射体４６１洗浄ノズル４２５の下側に設けられ、発光部４３１から発光された紫外線４４１を反射し、洗浄ノズル４２５における取付台４２１と相対する面に紫外線を照射できる。そのため、本実施形態にかかる衛生洗浄装置１００は、発光部４３１から発光された直接的な紫外線４４１と、発光部４３１から発光され反射体４６１によって反射された間接的な紫外線４４１と、により洗浄ノズル４２５の全周に紫外線を照射できる。これによれば、本実施形態にかかる衛生洗浄装置１００は、洗浄ノズル４２５の表面を全周に亘って殺菌することができる。
【００８６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ノズルユニット４２０などが備える各要素の形状、寸法、材質、配置などや発光部４３１や反射体４６１の設置形態などは、例示したものに限定されるわけではなく適宜変更することができる。例えば、前述したように、発光部４３１は洗浄ノズル４２５の下側に設けられ、反射体４６１は洗浄ノズル４２５の上側に設けられていてもよい。すなわち、発光部４３１および反射体４６１は、洗浄ノズル４２５の全周に紫外線を照射できるように設置されている限り、本発明の範囲に包含される。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００８７】
【図１】本発明の実施の形態にかかる衛生洗浄装置の外観を表す斜視模式図である。
【図２】本実施形態にかかる衛生洗浄装置に設けられたノズルユニットを表す斜視模式図である。
【図３】本実施形態の発光部から発光された紫外線の照射方向の一部を例示した斜視模式図である。
【図４】本実施形態の反射体の変形例を例示する斜視模式図である。
【図５】本実施形態の具体例にかかるノズルユニットを例示する断面模式図である。
【図６】本実施形態の他の具体例にかかるノズルユニットを例示する断面模式図である。
【図７】本実施形態のさらに他の具体例にかかるノズルユニットを例示する断面模式図である。
【図８】本実施形態のさらに他の具体例にかかるノズルユニットを例示する断面模式図である。
【図９】本実施形態のさらに他の具体例にかかるノズルユニットを例示する断面模式図である。
【図１０】本実施形態のさらに他の具体例にかかるノズルユニットを例示する断面模式図である。
【図１１】本実施形態のさらに他の具体例にかかるノズルユニットを例示する断面模式図である。
【図１２】本実施形態のさらに他の具体例にかかるノズルユニットを例示する断面模式図である。
【図１３】本実施形態のさらに他の具体例にかかるノズルユニットを例示する断面模式図である。
【符号の説明】
【００８８】
１００ 衛生洗浄装置、  ２００ 便座、  ３００ 便蓋、  ４００ 本体部、  ４０１ ケースプレート、  ４０３ ケースカバー、  ４２０ ノズルユニット、  ４２１ 取付台、  ４２３ 駆動部、  ４２４ 伝動部材、  ４２５ 洗浄ノズル、  ４２５ａ 中心、  ４２５ｂ、４２５ｃ 接点、  ４２５ｄ 下端部、  ４２５ｅ 中心軸、  ４２７ 吐水口、  ４２９ ノズル洗浄室、  ４３１、４３１ａ、４３１ｂ 発光部、  ４３３ レンズ、  ４３３ａ 光軸、  ４４１、４４１ａ、４４１ｂ 紫外線、  ４６１、４６２、４７１ 反射体、  ４７１ａ 第１の焦点、  ４７１ｂ 第２の焦点、  ４７１ｃ 長軸、  ４７１ｄ、４７１ｅ 反射点、  ４７２ 反射体、  ４７２ａ 焦点、  ４７２ｃ 中心軸、  ４７３ 反射体、  ４７３ｃ 中心軸、  ４７４ 反射体、  ４７４ａ 第１の近似焦点、  ４７４ｂ 第２の近似焦点、  ４７４ｃ 長軸、  ４７５ 反射体、  ４７５ｃ 中心軸、  ４７６ 反射体、  ４７６Ａ、４７６Ｂ、４７６Ｃ 円形、  ４７７ 反射体、  ４７７Ａ、４７７Ｂ 直線、  ４７７Ｃ、４７７Ｄ 円形、  ４７８ 反射体、  ４７８ｃ 中心軸、  ４８１ 反射体、  ４８１ａ 第１の焦点、  ４８１ｂ 第２の焦点、  ４８１ｃ 長軸、゜  ４９１ 反射体、  ４９１ａ 第１の焦点、  ４９１ｂ 第２の焦点、  ４９１ｃ 長軸
【図１】
2010084335.tif 000003
【図２】
2010084335.tif 000004
【図３】
2010084335.tif 000005
【図４】
2010084335.tif 000006
【図５】
2010084335.tif 000007
【図６】
2010084335.tif 000008
【図７】
2010084335.tif 000009
【図８】
2010084335.tif 000010
【図９】
2010084335.tif 000011
【図１０】
2010084335.tif 000012
【図１１】
2010084335.tif 000013
【図１２】
2010084335.tif 000014
【図１３】
2010084335.tif 000015